(57)【要約】【課題】リニアモジュール作動部の除塵カバーを提供する。【解決手段】リニアモジュール作動部の除塵カバーは本体が頂面、底面、第一側面、第二側面、第三側面、第四側面、凹状溝、第一除塵部、第二除塵部および第三除塵部を有する。第一側面、第二側面、第三側面および第四側面は頂面および底面に連結される。凹状溝部は底面に凹んで形成される。第一除塵部、第二除塵部および第三除塵部は凹状溝部の周りに突出して形成される。除塵カバーはリニアモジュール作動部に装着され、第一除塵部、第二除塵部および第三除塵部がリニアモジュール作動部の作動に伴ってハウジングおよび防塵ベルト上の粉塵を自動的に除去することによって防塵効果を向上させる。【選択図】図３
2019123065.tif 000002
【特許請求の範囲】
【請求項１】
リニアモジュール作動部に装着され、本体が頂面、底面、第一側面、第二側面、第三側面、第四側面、凹状溝、第一除塵部、第二除塵部および第三除塵部を有し、  
前記第一側面、第二側面、第三側面および第四側面は、前記頂面および前記底面に連結され、
前記凹状溝部は、前記底面に凹んで形成され、
前記第一除塵部は、前記底面に突出し、前記凹状溝部と前記第一側面との間に位置し、
前記第二除塵部は、前記底面に突出し、前記凹状溝部と前記第三側面との間に位置し、
前記第三除塵部は、前記底面に突出し、前記第一除塵部および前記第二除塵部に連結されることを特徴とする、
リニアモジュール作動部の除塵カバー。
【請求項２】
前記本体は、さらに吸気孔を有し、前記吸気孔は前記第一側面または前記第三側面に形成され、前記凹状溝部と繋がることを特徴とする請求項１に記載のリニアモジュール作動部の除塵カバー。
【請求項３】
前記第一除塵部は、前記第二側面、前記第三側面および前記第四側面から前記第一側面に近い方向へ伸びることを特徴とする請求項１に記載のリニアモジュール作動部の除塵カバー。
【請求項４】
前記第三除塵部は、前記第二側面に突出するように配置されることを特徴とする請求項１に記載のリニアモジュール作動部の除塵カバー。
【請求項５】
前記第三除塵部は、斜面を有し、前記斜面は前記第二側面に形成され、前記第二側面から前記頂面と反対方向の下方へ傾くことを特徴とする請求項４に記載のリニアモジュール作動部の除塵カバー。
【発明の詳細な説明】
【技術分野】
【０００１】
本発明は、除塵カバーに関し、詳しくはリニアモジュール作動部の除塵カバーに関するものである。
【背景技術】
【０００２】
リニアモジュールは線形運動が必要な場合、例えば作業台の移動または工作機械の加工軸の移動に対応でき、ボルトがモーターの駆動力を受けて移動台に接続されたナットを作動させるとともに移動台を往復移動させる。移動台はリニアモジュールのハウジングに突出するように固定される部品である。
【０００３】
粉塵の多い環境下で異物がハウジングに入り込んで堆積し、ボルトとナットの作動に支障を与えることを避けるために、移動台およびハウジングに防塵ベルトを増設することが一般的である。粉塵の多い環境において、防塵ベルトは粉塵が直接ハウジングに入り込むことを抑制できるが、堆積した粉塵がハウジングに入り込むことは防止できない。粉塵がハウジングに入り込むことを減らし、防塵効果をより向上させるには、ハウジングに落下しそうな粉塵を自動的に除去することが必要である。
【０００４】
それに対し、特許文献１により掲示された防塵ユニットは移動体に装着され、両端に二つの誘導部を有し、誘導部が防塵ベルトの表面に接触することによってモジュールの前後部位の粉塵を除去する。しかしながら、該案において、防塵ユニットは側面辺部の粉塵を完全に除去できないため、防塵効果に改善の余地がある。
【０００５】
特許文献２は作動台のカバーに防塵ベルトをローラーで誘導することによって作動台のカバーの摩損を抑制し、ステンレス製ベルトの密着状態を保持する。しかしながら、作動台のカバーには粉塵除去機能が付いていないため、防塵効果を強化する必要がある。
【先行技術文献】
【特許文献】
【０００６】
【特許文献１】台湾実用新案Ｍ４９８６４３号公報
【特許文献２】特開２０１６７４０４５号公報
【発明の概要】
【発明が解決しようとする課題】
【０００７】
本発明は、リニアモジュール作動部に用いられ、粉塵を自動的に除去し、防塵効果を強化することができる除塵カバーを提供することを主な目的とする。
【課題を解決するための手段】
【０００８】
上述した課題を解決するため、リニアモジュール作動部の除塵カバーはリニアモジュール作動部に装着され、本体が頂面、底面、第一側面、第二側面、第三側面、第四側面、凹状溝、第一除塵部、第二除塵部および第三除塵部を有する。第一側面、第二側面、第三側面および第四側面は頂面および底面に連結される。凹状溝部は底面に凹んで形成される。第一除塵部は底面に突出し、凹状溝部と第一側面との間に位置する。第二除塵部は底面に突出し、凹状溝部と第三側面との間に位置する。第三除塵部は底面に突出し、第一除塵部および第二除塵部に連結される。
【０００９】
除塵カバーはリニアモジュール作動部に装着され、第一除塵部、第二除塵部および第三除塵部がリニアモジュール作動部の作動に伴ってハウジングおよび防塵ベルトの粉塵を自動的に除去することによって防塵効果を向上させる。
【００１０】
除塵カバーの本体は、さらに第一側面または第三側面に凹状溝部と繋がる吸気孔を有する。吸気孔から気体を注入し、除塵カバーとリニアモジュールとの間の隙間から気体を吹き出せば、粉塵がリニアモジュールに入り込むことを抑制することができる。
【００１１】
除塵カバーの本体において、第一除塵部は第二側面、第三側面および第四側面から第一側面に近い方向へ伸び、リニアモジュール作動台の移動に伴って粉塵をハウジングの外部へ排出することによって除塵効果を向上させる。
【００１２】
除塵カバーの本体において、第三除塵部は第二側面に突出するように配置されてもよい。第三除塵部は粉塵を掘り出し、粉塵がリニアモジュールに落下することを抑制する。粉塵除去効果を強化する場合、第三除塵部に斜面を形成すればよい。第三除塵部は斜面が第二側面に位置し、かつ第二側面から頂面と反対方向の下方へ傾くため、粉塵を掘り出す効果を向上させることができる。
【００１３】
リニアモジュール作動部の防塵効果と、除塵カバーとリニアモジュール作動部との結合具合とを高めるために、本体はさらに第四側面に突出して形成された延長部と、第一側面または第三側面に突出して形成された固定部とを有する。延長部はリニアモジュール作動台を遮蔽し、粉塵がリニアモジュール作動部に落下することを抑制する。固定部は固定ユニットによってリニアモジュール作動部に締め付けられる。
【００１４】
除塵カバーの本体において、底面および第一除塵部はそれぞれ延長され、かつ固定部に連結されるため、固定部に除塵効果を生じることができる。一方、底面、第三側面および固定部はリニアモジュール作動部の外側を囲むため、除塵カバーとリニアモジュール作動部とが結合した時の安定性を向上させることができる。
【図面の簡単な説明】
【００１５】
【図１】本発明の一実施形態によるリニアモジュール作動部の除塵カバーおよびリニアモジュールを示す斜視図である。
【図２】本発明の一実施形態によるリニアモジュール作動部の除塵カバーおよびリニアモジュールを示す分解斜視図である。
【図３】本発明の一実施形態によるリニアモジュール作動部の除塵カバーの一部分を示す斜視図である。
【図４】本発明の一実施形態によるリニアモジュール作動部の除塵カバーの背面の一部分を示す斜視図である。
【図５】本発明の一実施形態によるリニアモジュール作動部の除塵カバーの第三側面および斜面を示す側面図である。
【発明を実施するための形態】
【００１６】
以下、本発明によるリニアモジュール作動部の除塵カバーを図面に基づいて説明する。
【００１７】
（一実施形態）
図１から図４に示すように、本発明の一実施形態によるリニアモジュール作動部の除塵カバー１０は、リニアモジュール９０のリニアモジュール作動部９１に装着される。リニアモジュール９０はハウジング９２内のモーター９３の駆動力によってボルト９４がリニアモジュール作動部９１に接続されたナット９５を作動させるとともにリニアモジュール作動部９１を往復移動させる。リニアモジュール作動部９１はハウジング９２およびハウジング９２に被さる防塵ベルト９６に突出するように固定される部品である。
【００１８】
除塵カバー１０は、本体１１から構成される。
【００１９】
本体１１は、頂面１１１、底面１１２、第一側面１１３、第二側面１１４、第三側面１１５、第四側面１１６、凹状溝１１７、第一除塵部１２１、第二除塵部１２２および第三除塵部１２３を有する。
第一側面１１３、第二側面１１４、第三側面１１５および第四側面１１６は頂面１１１および底面１１２に連結される。本実施形態において、第一側面１１３および第三側面１１５はリニアモジュール作動部９１の移動方向に平行である。第二側面１１４は第一側面１１３の一端および第三側面１１５の一端に連結される。第四側面１１６は第一側面１１３の他端および第三側面１１５の他端に連結される。
【００２０】
本体１１において、凹状溝部１１７は底面１１２に凹んで形成される。防塵ベルト９６は本体１１の凹状溝部１１７を通る。
【００２１】
本体１１において、第一除塵部１２１は底面１１２に突出し、凹状溝部１１７と第一側面１１３との間に位置する。
【００２２】
本体１１において、第二除塵部１２２は底面１１２に突出し、凹状溝部１１７と第三側面１１５との間に位置する。
【００２３】
本体１１において、第三除塵部１２３は底面１１２に突出し、第一除塵部１２１および第二除塵部１２２に連結される。
【００２４】
本発明による除塵カバー１０は防塵ベルト９６上のリニアモジュール作動台９１に装着され、第一除塵部１２１、第二除塵部１２２および第三除塵部１２３がハウジング９２および防塵ベルト９６に接触し、リニアモジュール作動台９１の作動に伴って移動するため、ハウジング９２および防塵ベルト９６上の粉塵を自動的に除去し、防塵効果を向上させることができる。
【００２５】
除塵カバー１０の本体１１は、さらに第一側面１１３または第三側面１１５に形成された吸気孔１２４を有する。本実施形態は第一側面１１３および第三側面１１５に吸気孔１２４を配置する。吸気孔１２４は凹状溝部１１７に繋がる。吸気孔１２４から気体を注入し、除塵カバー１０とリニアモジュール９０との間の隙間から気体を吹き出せば、粉塵がリニアモジュール９０に入り込むことを抑制することができる。
【００２６】
除塵カバー１０の本体１１において、第一除塵部１２１は第二側面１１４、第三側面１１５および第四側面１１６から第一側面１１３に近い方向へ伸びていく。第二除塵部１２２は第二側面１１４、第三側面１１５および第四側面１１６から第三側面１１５に近い方向へ伸びていく。本実施形態において、第一除塵部１２１および第二除塵部１２２は第三除塵部１２３の両端に連結され、幅が漸増するような形になる。上述した手段により、リニアモジュール作動台９１が移動する際、第一除塵部１２１および第二除塵部１２２は粉塵をハウジング９２の外部へ誘導および排出し、除塵効果を向上させることができる。
【００２７】
図５に示すように、本実施形態において、第三除塵部１２３は本体１１の第二側面１１４に突出して形成され、粉塵を掘り出すことによって粉塵がリニアモジュール９０に落下する状況を抑制する。粉塵除去効果を強化する場合、第三除塵部１２３に斜面１２３ａを形成すればよい。第三除塵部１２３は斜面１２３ａが第二側面１１４に位置し、かつ第二側面１１４から頂面１１１と反対方向の下方へ傾くため、粉塵を掘り出す効果を向上させることができる。
【００２８】
リニアモジュール９０の防塵効果および除塵カバー１０とリニアモジュール作動部９１との結合具合を高めるために、本体１１はさらに第四側面１１６に突出して形成された延長部１２５と、第一側面１１３または第三側面１１５に突出して形成された固定部１２６とを有する。本実施形態において、固定部１２６は第一側面１１３および第三側面１１５に突出して形成される。
延長部１２５はリニアモジュール作動台９１を遮蔽し、粉塵がリニアモジュール作動部９１に落下することを抑制する。除塵カバー１０は固定部１２６および固定ユニット（図中未表示）によってリニアモジュール作動部９１に締め付けられる。
【００２９】
除塵カバー１０の本体１１において、底面１１２および第一除塵部１２１はそれぞれ延長され、かつ固定部１２６に連結されるため、固定部１２６に除塵効果を生じることができる。一方、底面１１２、第三側面１１５および固定部１２６はリニアモジュール作動部９１の外側を囲むため、除塵カバー１０とリニアモジュール作動部９１とが結合した時の安定性を向上させることができる。
【００３０】
上述した説明をまとめてみると、本発明は複数の除塵カバー１０を相対的にリニアモジュール作動部９１に固定し、それらの第三除塵部１２３を相対的に外側に位置させる方式を採用することができる。リニアモジュール９０が稼働する際、リニアモジュール作動部９１はハウジング９２および防塵ベルト９６を往復移動すると同時に除塵カバー１０を往復移動させることができる。
往復移動中の除塵カバー１０は第一除塵部１２１および第二除塵部１２２によって粉塵をハウジング９２の外部へ誘導し、第三除塵部１２３によって粉塵を掘り出し、吸気孔１２４に注入された気体によって隙間から粉塵を吹き出すため、除塵効果を向上させる。
【符号の説明】
【００３１】
１０  除塵カバー
１１  本体
１１１  頂面
１１２  底面
１１３  第一側面
１１４  第二側面
１１５  第三側面
１１６  第四側面
１１７  凹状溝部
１２１  第一除塵部
１２２  第二除塵部
１２３  第三除塵部
１２３ａ  斜面
１２４  吸気孔
１２５  延長部
１２６  固定部
９０  リニアモジュール
９１  リニアスライド部
９２  ハウジング
９３  モーター
９４  ボルト
９５  ナット
９６  防塵ベルト
【図１】
2019123065.tif 000003
【図２】
2019123065.tif 000004
【図３】
2019123065.tif 000005
【図４】
2019123065.tif 000006
【図５】
2019123065.tif 000007
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
リニアモジュール作動部に装着され、本体が頂面、底面、第一側面、第二側面、第三側面、第四側面、凹状溝部、第一除塵部、第二除塵部および第三除塵部を有し、
前記第一側面、第二側面、第三側面および第四側面は、前記頂面および前記底面に連結され、
前記凹状溝部は、前記底面に凹んで形成され、
前記第一除塵部は、前記底面に突出し、前記凹状溝部と前記第一側面との間に位置し、
前記第二除塵部は、前記底面に突出し、前記凹状溝部と前記第三側面との間に位置し、
前記第三除塵部は、前記底面に突出し、前記第一除塵部および前記第二除塵部に連結されることを特徴とする、
リニアモジュール作動部の除塵カバー。
【請求項２】
前記本体は、さらに吸気孔を有し、前記吸気孔は前記第一側面または前記第三側面に形成され、前記凹状溝部と繋がることを特徴とする請求項１に記載のリニアモジュール作動部の除塵カバー。
【請求項３】
前記第一除塵部は、前記第二側面、前記第三側面および前記第四側面から前記第一側面に近い方向へ伸びることを特徴とする請求項１に記載のリニアモジュール作動部の除塵カバー。
【請求項４】
前記第三除塵部は、前記第二側面に突出するように配置されることを特徴とする請求項１に記載のリニアモジュール作動部の除塵カバー。
【請求項５】
前記第三除塵部は、斜面を有し、前記斜面は前記第二側面に形成され、前記第二側面から前記頂面と反対方向の下方へ傾くことを特徴とする請求項４に記載のリニアモジュール作動部の除塵カバー。
【手続補正２】
【補正対象書類名】明細書
【補正対象項目名】０００８
【補正方法】変更
【補正の内容】
【０００８】
上述した課題を解決するため、リニアモジュール作動部の除塵カバーはリニアモジュール作動部に装着され、本体が頂面、底面、第一側面、第二側面、第三側面、第四側面、凹状溝部、第一除塵部、第二除塵部および第三除塵部を有する。第一側面、第二側面、第三側面および第四側面は頂面および底面に連結される。凹状溝部は底面に凹んで形成される。第一除塵部は底面に突出し、凹状溝部と第一側面との間に位置する。第二除塵部は底面に突出し、凹状溝部と第三側面との間に位置する。第三除塵部は底面に突出し、第一除塵部および第二除塵部に連結される。
【手続補正３】
【補正対象書類名】明細書
【補正対象項目名】００１９
【補正方法】変更
【補正の内容】
【００１９】
本体１１は、頂面１１１、底面１１２、第一側面１１３、第二側面１１４、第三側面１１５、第四側面１１６、凹状溝部１１７、第一除塵部１２１、第二除塵部１２２および第三除塵部１２３を有する。
第一側面１１３、第二側面１１４、第三側面１１５および第四側面１１６は頂面１１１および底面１１２に連結される。本実施形態において、第一側面１１３および第三側面１１５はリニアモジュール作動部９１の移動方向に平行である。第二側面１１４は第一側面１１３の一端および第三側面１１５の一端に連結される。第四側面１１６は第一側面１１３の他端および第三側面１１５の他端に連結される。